(57)【要約】【課題】端太で型枠を支持する際に、端太が型枠に食い込むことによる型枠の変形を防止することが可能であるとともに、鍔を備えた３型座金を用いても、鍔と干渉することが無く、強固な締め付けが可能な端太を提供する。【解決手段】端太１は、平坦面を有する平坦型板材３と、断面外周部が半円形状であって平坦型板材３とは反対側に突出する形状の曲面型板材４と、平坦型板材３と曲面型板材４のそれぞれの両端部を連結する２つの連結板材５とから形成されている。連結板材５は平坦型板材３との連結側において、平坦型板材３の端部から上方に伸びる縦板２０と、縦板２０の上端から横方向に伸びる横板２１とによって形成される段差部２２を有しており、連結板材５の下方側であって平坦型板材３の側方側に空隙２３が形成されている。【選択図】図１
0003205979.tif 000002
【実用新案登録請求の範囲】
【請求項１】
コンクリート用型枠を支持するための端太であって、平坦面を有する平坦型板材と、断面外周部が半円形状であって平坦型板材とは反対側に突出する形状の曲面型板材と、平坦型板材と曲面型板材のそれぞれの両端部を連結する２つの連結板材とからなる端太であって、連結板材は平坦型板材との連結側において、平坦型板材の端部から上方に伸びる縦板と、縦板の上端から横方向に伸びる横板とによって形成される段差部を有しており、連結板材の下方側であって平坦型板材の側方側に空隙が形成されていることを特徴とする端太。
【請求項２】
コンクリート用型枠を支持するための端太であって、平坦面を有する平坦型板材と、断面外周部が半円形状であって平坦型板材とは反対側に突出する形状の曲面型板材と、平坦型板材と曲面型板材のそれぞれの両端部を連結する２つの連結板材とからなる端太であって、連結板材は平坦型板材との連結側において、平坦型板材の端部から斜め上方に向かって伸びる平板からなる傾斜部を有しており、連結板材の下方側であって平坦型板材の側方側に空隙が形成されていることを特徴とする端太。
【請求項３】
コンクリート用型枠を支持するための端太であって、平坦面を有する平坦型板材と、断面外周部が半円形状であって平坦型板材とは反対側に突出する形状の曲面型板材と、平坦型板材と曲面型板材のそれぞれの両端部を連結する２つの連結板材とからなる端太であって、連結板材は平坦型板材との連結側において、平坦型板材の端部から斜め上方に向かって伸びる曲板からなる傾斜部を有しており、連結板材の下方側であって平坦型板材の側方側に空隙が形成されていることを特徴とする端太。
【考案の詳細な説明】
【技術分野】
【０００１】
本考案は、コンクリート構造物を構築する際の型枠を支持するために使用される端太に関する。
【背景技術】
【０００２】
コンクリート構造物を構築するにあたっては、コンクリートを流し込むための型枠を形成するが、型枠がはらんだり歪んだりすることを防止するために、型枠の側面に取り付けて補強するための支持材として端太が使用されている。そして、この型枠を組立てた後、型枠内にコンクリートを打設して、コンクリート硬化後に型枠を解体することによりコンクリート構造物を構築している。
【０００３】
従来から広く用いられている端太は、円筒形状をしたパイプ状のものであり、これをコンクリートパネルと呼ばれる型枠に接触させ、座金で固定することによって、型枠を補強する。型枠を締付ける端太に関する技術の一例が、特許文献１に記載されている。
【先行技術文献】
【特許文献】
【０００４】
【特許文献１】特開平８−２０９９３５号公報
【考案の概要】
【考案が解決しようとする課題】
【０００５】
図５に、従来から用いられている円筒形状の端太の構造と使用状況を示す。図５（ａ）は、円筒形状の端太の長手方向に対して垂直な方向の断面図であり、図５（ｂ）は、円筒形状の端太で型枠を支持している状況を示す斜視図であり、図５（ｃ）は、図５（ｂ）を側方から見た図である。
【０００６】
図５（ａ）に示す、断面外周が円形である円筒形状の端太５１を、図５（ｂ）に示すように、端太５１の長手方向を上下方向にして、複数の端太５１を型枠５２に接触させて配列し、その側方に端太５１の長手方向を横方向にして、複数の端太５１を配列する。この状態で、３型座金５３で端太５１を締め付ける。こうして、型枠５２は端太５１によって支持されて型枠５２の補強がなされる。
【０００７】
図６は、図５（ｂ）に示す斜視図を上方から見て、型枠にコンクリートを流し込んだ状態を示している。円筒形状の端太５１を型枠５２に接触させて型枠５２を支持すると、端太５１が円筒形状であるが故に、端太５１の外周側の曲面が型枠５２に接触することとなり、端太５１と型枠５２との接触面は、端太５１の外周側の狭い部分に限定され、接触面積が小さくなる。そのため締め付け時に、この小さな面積の接触部分に力が集中して、端太５１が型枠５２に食い込むことによって、型枠５２が変形しやすい状況が生じる。型枠５２が変形すると、型枠５２内にコンクリート５４を打設する際に、型枠５２に接するコンクリート５４の面が平坦にならず、凹凸を生じるという問題を生じる。近年は、締め付け量が一定となるように設定された締め付け工具を使用することが通常であるため、締め付け量の調整を作業者が行うことが難しく、型枠５２の変形を防止してコンクリート５４の面に凹凸が生じることを回避することが困難となっている。
【０００８】
また、端太５１の締め付けにあたっては、端太５１と接触する部分が曲面形状を有する３型座金５３が使用されるケースが多く、３型座金５３を用いてしっかりと端太５１を締め付けるためには、３型座金５３が端太５１と隙間なく接触することが必要となる。
【０００９】
また、３型座金５３は、型枠５２と接触する部位に鍔５５が設けられているのが通常であり、端太５１を３型座金５３で締め付ける際に、鍔５５に端太５１が乗り上げると、３型座金５３での締め付けが不安定になる。そのため、端太５１が鍔５５と干渉しないように考慮することも必要である。
【００１０】
本考案は、このような問題点を解決するためになされたもので、端太で型枠を支持する際に、端太が型枠に食い込むことによる型枠の変形を防止することが可能であるとともに、鍔を備えた３型座金を用いても、鍔と干渉することが無く、強固な締め付けが可能な端太を提供することを目的とする。
【課題を解決するための手段】
【００１１】
以上の課題を解決するために、本考案の端太は、コンクリート用型枠を支持するための端太であって、平坦面を有する平坦型板材と、断面外周部が半円形状であって平坦型板材とは反対側に突出する形状の曲面型板材と、平坦型板材と曲面型板材のそれぞれの両端部を連結する２つの連結板材とからなる端太であって、連結板材は平坦型板材との連結側において、平坦型板材の端部から上方に伸びる縦板と、縦板の上端から横方向に伸びる横板とによって形成される段差部を有しており、連結板材の下方側であって平坦型板材の側方側に空隙が形成されていることを特徴とする。
【００１２】
また、本考案の端太は、コンクリート用型枠を支持するための端太であって、平坦面を有する平坦型板材と、断面外周部が半円形状であって平坦型板材とは反対側に突出する形状の曲面型板材と、平坦型板材と曲面型板材のそれぞれの両端部を連結する２つの連結板材とからなる端太であって、連結板材は平坦型板材との連結側において、平坦型板材の端部から斜め上方に向かって伸びる平板からなる傾斜部を有しており、連結板材の下方側であって平坦型板材の側方側に空隙が形成されていることを特徴とする。
【００１３】
また、本考案の端太は、コンクリート用型枠を支持するための端太であって、平坦面を有する平坦型板材と、断面外周部が半円形状であって平坦型板材とは反対側に突出する形状の曲面型板材と、平坦型板材と曲面型板材のそれぞれの両端部を連結する２つの連結板材とからなる端太であって、連結板材は平坦型板材との連結側において、平坦型板材の端部から斜め上方に向かって伸びる曲板からなる傾斜部を有しており、連結板材の下方側であって平坦型板材の側方側に空隙が形成されていることを特徴とする。
【００１４】
本考案の端太はいずれも、平坦型板材を型枠に接触させて型枠を支持するとともに、３型座金で曲面型板材を押さえつけて締め付けることによって使用される。平坦面を有する平坦型板材が型枠に接触するため、型枠を支持する力は、接触面となる平坦型板材の平坦面の全面に亘って作用し、広い接触面によって力が均等に型枠に作用する。そのため、端太が型枠に食い込むことがなく、型枠の変形を防止することができる。これにより、型枠内にコンクリートを打設する際に、型枠に接するコンクリートの面を凹凸の無い平坦面にすることができる。
【００１５】
また、３型座金には曲面型板材が接触するため、３型座金が端太と隙間なく接触することが可能となり、３型座金を用いてしっかりと端太を締め付けることができ、端太による型枠の補強効果を高めることができる。さらに、鍔を備えた３型座金で締め付ける場合であっても、連結板材の下方側であって平坦型板材の側方側に空隙が形成される構造となっているため、鍔と端太が干渉することが無い。そのため、鍔に端太が乗り上げることによって３型座金での締め付けが不安定になることを防止でき、締め付けが強固となる。
【考案の効果】
【００１６】
本考案によると、端太で型枠を支持する際に、端太が型枠に食い込むことによる型枠の変形を防止することが可能であるとともに、鍔を備えた３型座金を用いても、鍔と干渉することが無く、強固な締め付けが可能な端太を実現することができる。
【図面の簡単な説明】
【００１７】
【図１】本考案の実施形態に係る端太の構造を示す斜視図である。
【図２】本考案の実施形態に係る端太の長手方向に対して垂直な方向の断面図である。
【図３】本考案の実施形態に係る端太の使用状況を示す図である。
【図４】端太の使用状況を示す全体図である。
【図５】従来から用いられている円筒形状の端太の構造と使用状況を示す図である。
【図６】従来から用いられている円筒形状の端太を用いた場合に、型枠にコンクリートを流し込んだ状態を示す図である。
【考案を実施するための形態】
【００１８】
以下に、本考案の端太を、その実施形態に基づいて説明する。
図１は、本考案の実施形態に係る端太の構造を示す斜視図である。図１（ａ）は、本考案の第一実施形態に係る端太の構造を示し、図１（ｂ）は、本考案の第二実施形態に係る端太の構造を示し、図１（ｃ）は、本考案の第三実施形態に係る端太の構造を示す。また、図２は、本考案の実施形態に係る端太の長手方向に対して垂直な方向の断面図である。図２（ａ）は、本考案の第一実施形態に係る端太の構造を示し、図２（ｂ）は、本考案の第二実施形態に係る端太の構造を示し、図２（ｃ）は、本考案の第三実施形態に係る端太の構造を示す。
【００１９】
本考案の第一実施形態に係る端太１は、コンクリート用の型枠を支持するための端太１であって、図１（ａ）、図２（ａ）に示すように、平坦面を有する平坦型板材３と、断面外周部が半円形状であって平坦型板材３とは反対側に突出する形状の曲面型板材４と、平坦型板材３と曲面型板材４のそれぞれの両端部を連結する２つの連結板材５とから形成されている。平坦型板材３と曲面型板材４と連結板材５は一体物として構成され、端太１の全体形状は、内部が空洞となったかまぼこ型の形状となっている。曲面型板材４は、突出する外周側先端部に平坦部６を有する構造とすることができる。
【００２０】
連結板材５は平坦型板材３との連結側において、平坦型板材３の端部から上方に伸びる縦板２０と、縦板２０の上端から横方向に伸びる横板２１とによって形成される段差部２２を有しており、連結板材５の下方側であって平坦型板材３の側方側に空隙２３が形成されている。
【００２１】
また、本考案の第二実施形態に係る端太１は、コンクリート用の型枠を支持するための端太１であって、図１（ｂ）、図２（ｂ）に示すように、平坦面を有する平坦型板材３と、断面外周部が半円形状であって平坦型板材３とは反対側に突出する形状の曲面型板材４と、平坦型板材３と曲面型板材４のそれぞれの両端部を連結する２つの連結板材５とから形成されている。平坦型板材３と曲面型板材４と連結板材５は一体物として構成され、端太１の全体形状は、内部が空洞となったかまぼこ型の形状となっている。曲面型板材４は、突出する外周側先端部に平坦部６を有する構造とすることができる。
【００２２】
連結板材５は平坦型板材３との連結側において、平坦型板材３の端部から斜め上方に向かって伸びる平板２４からなる傾斜部２５を有しており、連結板材５の下方側であって平坦型板材３の側方側に空隙２３が形成されている。
【００２３】
また、本考案の第三実施形態に係る端太１は、コンクリート用の型枠を支持するための端太１であって、図１（ｃ）、図２（ｃ）に示すように、平坦面を有する平坦型板材３と、断面外周部が半円形状であって平坦型板材３とは反対側に突出する形状の曲面型板材４と、平坦型板材３と曲面型板材４のそれぞれの両端部を連結する２つの連結板材５とから形成されている。平坦型板材３と曲面型板材４と連結板材５は一体物として構成され、端太１の全体形状は、内部が空洞となったかまぼこ型の形状となっている。曲面型板材４は、突出する外周側先端部に平坦部６を有する構造とすることができる。
【００２４】
連結板材５は平坦型板材３との連結側において、平坦型板材３の端部から斜め上方に向かって伸びる湾曲した曲板２６からなる傾斜部２７を有しており、連結板材５の下方側であって平坦型板材３の側方側に空隙２３が形成されている。
【００２５】
図３に、本考案の実施形態に係る端太１の使用状況を示す。図３（ａ）は、本考案の第一実施形態に係る端太１の使用状況を示し、図３（ｂ）は、本考案の第二実施形態に係る端太１の使用状況を示し、図３（ｃ）は、本考案の第三実施形態に係る端太１の使用状況を示す。また、図４は、端太１の使用状況を示す全体図である。
【００２６】
図３に示すように、複数の端太１の平坦型板材３を型枠２に接触させて配列し、その側方に、端太１の平坦型板材３を型枠２に近い側の端太１の曲面型板材４に接触させて配列する。この状態で、３型座金１０で端太１を締め付ける。こうして、型枠２は端太１によって支持されて型枠２の補強がなされる。３型座金１０による締め付け位置は、図４に示すように、適宜間隔を置いて設定する。
【００２７】
型枠２にコンクリートを流し込むと、端太１の平坦型板材３が型枠２に接触して型枠２を支持するため、型枠２を支持する力は、接触面となる平坦型板材３の平坦面の全面に亘って作用し、広い接触面によって力が均等に型枠２に作用する。そのため、端太１が型枠２に食い込むことがなく、型枠２の変形を防止することができる。これにより、型枠２内にコンクリート１１を打設する際に、型枠２に接するコンクリート１１の面を凹凸の無い平坦面にすることができる。
【００２８】
また、３型座金１０には曲面型板材４が接触するため、３型座金１０が端太１と隙間なく接触することが可能となり、３型座金１０を用いてしっかりと端太１を締め付けることができ、端太１による型枠２の補強効果を高めることができる。
【００２９】
さらに、本考案の第一実施形態に係る端太１を使用すると、図３（ａ）に示すように、段差部２２による空隙２３を有していることにより、型枠２と接触する部位に鍔２８が設けられている３型座金１０を用いても、端太１を３型座金１０で締め付ける際に、端太１が鍔２８と干渉せず、鍔２８に端太１が乗り上げることを防止できる。そのため、３型座金１０での締め付けが安定し、強固な締め付けが可能となる。
【００３０】
また、本考案の第二実施形態に係る端太１を使用すると、図３（ｂ）に示すように、傾斜部２５による空隙２３を有していることにより、型枠２と接触する部位に鍔２８が設けられている３型座金１０を用いても、端太１を３型座金１０で締め付ける際に、端太１が鍔２８と干渉せず、鍔２８に端太１が乗り上げることを防止できる。同様に、本考案の第三実施形態に係る端太１を使用すると、図３（ｃ）に示すように、傾斜部２７による空隙２３を有していることにより、型枠２と接触する部位に鍔２８が設けられている３型座金１０を用いても、端太１を３型座金１０で締め付ける際に、端太１が鍔２８と干渉せず、鍔２８に端太１が乗り上げることを防止できる。
【００３１】
端太１を形成する材料として、鉄、アルミニウム等の金属材料を広く用いることができ、材質は特に限定されないが、アルミニウムを用いると軽量化を実現できる。従来から用いられている円筒形状の端太と比較すると、アルミニウムは軽量であるため、本考案の端太１と同程度の強度を有する円筒形状の端太を作製するためには、本考案の端太１の肉厚よりも厚くして円筒形状の端太を作製する必要がある。そのため、本考案の端太１の形状とすることは、軽量化を実現しつつ強度を確保する点においても有利である。
【産業上の利用可能性】
【００３２】
本考案は、端太で型枠を支持する際に、端太が型枠に食い込むことによる型枠の変形を防止することが可能であるとともに、鍔を備えた３型座金を用いても、鍔と干渉することが無く、強固な締め付けが可能な端太として、建築工事現場において広く利用することができる。
【符号の説明】
【００３３】
１  端太
２  型枠
３  平坦型板材
４  曲面型板材
５  連結板材
６  平坦部
１０  ３型座金
１１  コンクリート
２０  縦板
２１  横板
２２  段差部
２３  空隙
２４  平板
２５  傾斜部
２６  曲板
２７  傾斜部
２８  鍔
５１  円筒形状の端太
５２  型枠
５３  ３型座金
５４  コンクリート
５５  鍔
【図１】
0003205979.tif 000003
【図２】
0003205979.tif 000004
【図３】
0003205979.tif 000005
【図４】
0003205979.tif 000006
【図５】
0003205979.tif 000007
【図６】
0003205979.tif 000008